(57)【要約】【課題】コストを抑えながら電話以外の機能を追加する可能な携帯電話機を提供する。【解決手段】携帯電話機は、所定の情報を生成または受信し当該所定の情報を出力する外部機器と無線ＬＡＮで接続する接続手段と、接続手段を介して外部機器から所定の情報を受け付け、所定の情報に応じた表示を実行する動作実行手段と、を含む。【選択図】図２
2012065085.tif 000002
【特許請求の範囲】
【請求項１】
所定の情報を生成または受信し当該所定の情報を出力する外部機器と無線ＬＡＮで接続する接続手段と、
前記接続手段を介して、前記外部機器から前記所定の情報を受け付け、前記所定の情報に応じた表示を実行する動作実行手段と、を含む携帯電話機。
【請求項２】
請求項１に記載の携帯電話機において、
前記外部機器は、電話機能とは異なる所定の機能を有し、当該所定の機能を用いて、前記所定の情報を生成または受信するものである、携帯電話機。
【請求項３】
携帯電話機が行う外部機器の擬似搭載方法であって、
所定の情報を生成または受信し当該所定の情報を出力する外部機器と無線ＬＡＮで接続する接続ステップと、
前記外部機器と接続している状況で、前記外部機器から前記所定の情報を受け付け、前記所定の情報に応じた表示を実行する動作実行ステップと、を含む外部機器の擬似搭載方法。
【請求項４】
請求項３に記載の外部機器の擬似搭載方法において、
前記外部機器は、電話機能とは異なる所定の機能を有し、当該所定の機能を用いて、前記所定の情報を生成または受信するものである、外部機器の擬似搭載方法。
【発明の詳細な説明】
【技術分野】
【０００１】
本発明は、携帯電話機および外部機器の擬似搭載方法に関する。
【背景技術】
【０００２】
携帯電話機の多機能化が進んでいる。
【０００３】
特許文献１、２には、外部機器を遠隔制御するコントローラの機能を搭載した携帯電話機が記載されている。特許文献３には、携帯電話機で行うべき処理を外部機器に代行させる携帯電話機が記載されている。
【０００４】
また、電話機能とは異なる機能を有するデバイス（例えば、カメラ、ワンセグ放送受像機）を搭載した携帯電話機も知られている。なお、携帯電話機に搭載されたカメラは、撮影を実行することによって画像情報（所定の情報）を生成して出力し、また、携帯電話機に搭載されたワンセグ放送受像機は、ワンセグ放送データを受信して出力する。
【先行技術文献】
【特許文献】
【０００５】
【特許文献１】特開２００４−１３５７１３号公報
【特許文献２】特開２００２−２１８５７２号公報
【特許文献３】特開２００８−１２３３４４号公報
【発明の概要】
【発明が解決しようとする課題】
【０００６】
携帯電話機に搭載されるデバイス（機能）が多様化されていくに従って、携帯電話機自体にかかるコストが高くなっていく。
【０００７】
このため、携帯電話機のコストを下げるために、携帯電話機に搭載されるデバイス（機能）を少なくすることが考えられるが、携帯電話機が一人一台以上保有する状況まで普及する中、カメラやワンセグ放送受像機といった付加価値となるデバイスや機能が搭載されていない携帯電話機は、ユーザに選ばれない商品となってしまうという課題があった。
【０００８】
本発明の目的は、上述した課題を解決可能な携帯電話機および外部機器の擬似搭載方法を提供することである。
【課題を解決するための手段】
【０００９】
本発明の携帯電話機は、所定の情報を生成または受信し当該所定の情報を出力する外部機器と無線ＬＡＮで接続する接続手段と、前記接続手段を介して、前記外部機器から前記所定の情報を受け付け、前記所定の情報に応じた表示を実行する動作実行手段と、を含む。
【００１０】
本発明の外部機器の擬似搭載方法は、携帯電話機が行う外部機器の擬似搭載方法であって、所定の情報を生成または受信し当該所定の情報を出力する外部機器と無線ＬＡＮで接続する接続ステップと、前記外部機器と接続している状況で、前記外部機器から前記所定の情報を受け付け、前記所定の情報に応じた表示を実行する動作実行ステップと、を含む。
【発明の効果】
【００１１】
本発明によれば、携帯電話機は、所定の情報を生成または受信しその所定の情報を出力する外部機器（デバイス）を搭載していなくでも、その外部機器を擬似的に搭載することができ、携帯電話機のコストを抑えながら、携帯電話機に他の機能を追加することが可能になる。
【図面の簡単な説明】
【００１２】
【図１】本発明の一実施形態の携帯電話機１と、外部機器２ａ、２ｂおよび２ｃと、を示した図である。
【図２】携帯電話機１と外部機器２の一例を示したブロック図である。
【発明を実施するための形態】
【００１３】
次に、本発明の一実施形態について図面を参照して詳細に説明する。
【００１４】
図１は、本発明の一実施形態の携帯電話機１と、外部機器２ａ、２ｂおよび２ｃと、を示した図である。携帯電話機１は、ＷＬＡＮ（無線ＬＡＮ：無線Local Area Network）経由で、外部機器２ａ、２ｂおよび２ｃのそれぞれと通信可能である。
【００１５】
携帯電話機１には、カメラとテレビ放送受像機は搭載されていない。外部機器２ａは、カメラであり、動画および静止画を撮影可能である。外部機器２ｂは、カメラ付きＰＣ（パーソナルコンピュータ）である。外部機器２ｃは、テレビ放送受像機である。なお、外部機器は、カメラ、カメラ付きＰＣまたはテレビ放送受像機に限らず、テレビ放送受像機以外の情報家電（但し、電話機能とは異なる機能（所定の機能）を有し、その機能を用いて、所定の情報を生成または受信して出力する機器）が用いられてもよい。
【００１６】
携帯電話機１は、専用のデバイスが必要となる機能については、携帯電話機１にその専用デバイスが未搭載であっても、ＷＬＡＮ経由で外部機器２ａ〜２ｃと接続することで、その専用デバイスが搭載された携帯電話機１とかわりのない機能を提供する。
【００１７】
図２は、携帯電話機１と外部機器２の一例を示したブロック図である。図２では、外部機器２としてカメラが用いられている。
【００１８】
図２において、携帯電話機１は、ＷＬＡＮ通信部１１と、動作実行部１２と、を含む。動作実行部１２は、入力部１２ａと、表示部１２ｂと、通信部１２ｃと、制御部１２ｄと、を含む。カメラ（外部機器）２は、ＷＬＡＮ通信部２１と、撮影された画像を表す画像情報（所定の情報）を生成し画像情報を出力する撮像部２２と、を含む。
【００１９】
ＷＬＡＮ通信部１１は、一般的に接続手段と呼ぶことができる。ＷＬＡＮ通信部１１は、ＷＬＡＮ経由でカメラ２と接続する。
【００２０】
動作実行部１２は、一般的に動作実行手段と呼ぶことができる。動作実行部１２は、ＷＬＡＮ通信部１１を介して、カメラ２から画像情報を受け付け、その画像情報に応じた表示（本実施形態では、画像情報に応じた画像を表示する動作）を実行する。
【００２１】
入力部１２ａは、入力キーである。表示部１２ｂは、例えば、入力部１２ａが受け付けた情報、および、カメラ２から受け付けた画像情報に応じた画像を表示する。通信部１２ｃは、携帯電話の通信を行う。制御部１２ｄは、携帯電話機１の動作を制御する。
【００２２】
ＷＬＡＮ通信部２１は、ＷＬＡＮ経由で、携帯電話機１内のＷＬＡＮ通信部１１と通信する。撮像部２２は、携帯電話機１内のデバイス（機器）を用いることなく、撮影された画像を表す画像情報を生成して出力する。
【００２３】
次に、動作を説明する。
【００２４】
携帯電話機１内の入力部１２ａがユーザにて操作されて、入力部１２ａが、ＷＬＡＮ経由で接続する旨の指示を受け付けると、ＷＬＡＮ通信部１１は、ＷＬＡＮで、携帯電話機１の周囲に存在する外部機器（デバイス）２と接続をする。
【００２５】
接続するデバイス２に特に制限はないが、接続したデバイス２が携帯電話機１に擬似的に搭載されているように振舞うため、接続するデバイス２は、他の携帯電話機に搭載されているデバイス(例えば、カメラ、ワンセグ受像機、非接触ＩＣ、Bluetooth通信器、または、加速度センサ（歩数計）であることが望ましい。
【００２６】
携帯電話機１内の動作実行部１２は、デバイス２と接続している状況で、デバイス２から所定の情報（デバイス２がカメラである場合には画像情報、デバイス２がワンセグ受像機である場合にはワンセグ受像機が受信し出力したワンセグ放送データ）を受け付け、その情報に応じた表示（デバイス２がワンセグ受像機である場合にはワンセグ放送データに応じた放送画像を表示する動作）を実行する。
【００２７】
なお、携帯電話機１に外部機器２が接続されることによって、例えば、以下の機能が実現される。
【００２８】
携帯電話機１にカメラが搭載されていなくても、携帯電話機１が、外部機器であるＰＣに接続されているカメラまたは外部機器であるデジタルカメラとＷＬＡＮ接続して、ＴＶ電話を実施する。
【００２９】
携帯電話機１が、外部機器であるマウスまたは外部機器であるキーボードとＷＬＡＮ接続した状況で、ユーザが、マウスまたはキーボードを操作することによって携帯電話機１を操作する。携帯電話機１は、マウスまたはキーボードの操作結果を表す表示を実行する。
【００３０】
Bluetoothを搭載していない携帯電話機１が、データ交換する機器に対してBluetooth接続しているＰＣとＷＬＡＮを介して接続することによって、Bluetoothを搭載していない携帯電話機１が、あたかもBluetooth通信を行っているように見せる。
【００３１】
携帯電話機１は、携帯電話機１が、万歩計とＷＬＡＮ接続することによって、あたかも携帯電話機１に加速度センサが内蔵されており、携帯電話機１が万歩計の計測結果を示す表示を実行することによって、携帯電話機１が万歩計としても動作しているように見せる。
【００３２】
携帯電話機１に普段は搭載されているデバイス（カメラなど）をとりはずせる機構にして、そのデバイスを携帯電話機１からとりはずした状態で使用可能とする。
【００３３】
本実施形態によれば、動作実行部１２は、ＷＬＡＮ通信部１１を介して、外部機器２から情報を受け付け、その情報に応じた表示を実行する。このため、接続した外部機器２が、あたかも携帯電話機１に搭載されているようになり、携帯電話機１は、ユーザに対して、接続した外部機器２が搭載されている携帯電話機と同様な機能を提供できる。よって、軽量でコストもかからない、かつ、多様な機能を擬似的に搭載可能な携帯電話機１を提供でき、携帯電話機１の利便性を向上することが可能になる。したがって、携帯電話機１自体にかかるコストを抑制しつつ、スペックダウンを感じさせない携帯電話機１を提供可能になる。
【００３４】
また、携帯電話機１にデバイス２を塔載する必要がなくなるので、携帯電話機１の製造にかかるコストを削減できユーザへ低価格で提供することが可能になる。
【００３５】
また、携帯電話機１にデバイス２を塔載する必要がなくなるので、携帯電話機１の重量を軽くできる。携帯電話機１は、普段常に持ち歩くものなので、軽いことで利便性が向上する。
【００３６】
また、ユーザが既に所有しているデバイスを携帯電話機１に接続可能になるので、ユーザが既に所有しているデバイスと同じ機能のデバイスを搭載した携帯電話機を所有することによって、デバイスが重複することを防止でき、無駄を削減できる。例えば、多くのデバイスを搭載している携帯電話機がありテレビがありＰＣがあるといった環境では、携帯電話機に搭載されたデバイスと重複するデバイスが多々あるが、本実施形態の携帯電話機１が使用されれば、デバイスの重複を防止することが可能になる。
【００３７】
なお、外部機器２は、電話機能とは異なる所定の機能（例えば、カメラ機能、テレビ放送受信機能、または、加速度検出機能）を有し、その所定の機能を用いて、所定の情報を生成または受信するものであることが望ましい。
【００３８】
以上説明した実施形態において、図示した構成は単なる一例であって、本発明はその構成に限定されるものではない。
【符号の説明】
【００３９】
１      携帯電話機
１１    ＷＬＡＮ通信部
１２    動作実行部
１２ａ  入力部
１２ｂ  表示部
１２ｃ  通信部
１２ｄ  制御部
２      カメラ
２ａ、２ｂ、２ｃ  外部機器
２１    ＷＬＡＮ通信部
２２    撮像部
【図２】
2012065085.tif 000003
【図１】
2012065085.tif 000004